(57)【特許請求の範囲】
【請求項１】
シャッターカーテンの幅方向両側縁部をガイドするガイドレールのシャッターカーテン案内面に、シャッターカーテンの開閉方向に長く形成され、先端が前記シャッターカーテン案内面より突出するモヘアと遮音ゴムとを、取付け具を介してシャッタカーテンの幅方向に並列して組込み配設するにあたり、前記ガイドレールは、屋内外方向を向く溝底片の両端部から左右方向開口部側に向けて延出される一対の溝側片部と、これら溝側片部の延出先端部からそれぞれ屋内外方向に向けて対向するように延出された一対の先端片部と、これら先端片部の先端部からそれぞれ左右方向に折り返し状に折曲されてシャッター案内面を構成する折り返し片部とを備えて構成され、取付け具は、溝側片部と先端片部と折り返し片部とに囲まれたガイドレールの溝開口側スペースに収容されていることを特徴とする建築用の防音機能付シャッター装置。
【請求項２】
請求項１において、取付け具の折返し片部に続くガイドレールの溝奥側には、シャッターカーテンを移動案内すべく形成された案内面の折返し片部に隣接する部位に、モヘアを構成する樹脂製の基端部を抜止め状に嵌合する蟻溝状の凹溝部が形成されていて、変形自在なモヘア部の先端部がガイドレール折返し片部よりもカーテン面側に突出するように配され、取付け具のガイドレール溝奥側に位置する部位には、溝奥側が開口するように取付け凹部が形成され、該取付け凹部に、断面矩形状に形成された遮音ゴムの基端部が嵌合し、該基端部から外方に突出する突片の先端部がガイドレールの案内面となる折返し片部よりもカーテン面側に突出するように設定されていることを特徴とする建築用の防音機能付シャッター装置。
【発明の詳細な説明】
【０００１】
【発明の属する技術分野】
本発明は、工場やビル等の建築物の開口部に建付けられる建築用の防音機能付シャッター装置の技術分野に属するものである。
【０００２】
【従来の技術】
従来、建築物の建物内の音を外部に出したくない場合や、これとは逆に外部の騒音を建物内に入れないようにするため、開口部に防音機能付のシャッター装置を設けることが提唱されている。このようなシャッター装置としては、複数のスラットを開閉方向に連装したシャッターカーテンを、開口部上方に設けた巻取りドラムに巻装し、開口部の開閉は、シャッターカーテンを巻取りドラムに対して巻出し、巻取りすることで行うが、このとき、シャッターカーテンの左右両側縁部は、開口部の両側部に設けられたガイドレールに移動案内されるように構成されている。ところで、シャッターカーテンを閉鎖した状態において、ガイドレールとシャッターカーテンとのあいだには隙間が形成されているため、該隙間からの音漏れが防音性能を低下させてしまう。そこで、防音機能付のシャッター装置では、ガイドレールのシャッターカーテン案内面に遮音ゴムを設け、該遮音ゴムのシャッターカーテン案内面よりも突出する先端がシャッターカーテンのカーテン面に押し付けられるようにすることで隙間をなくすようにしている。
【０００３】
【発明が解決しようとする課題】
しかるに、前記従来の遮音ゴムは上下方向に長い形状となっている。これに対し、閉鎖したシャッターカーテンの隣接するスラット間の隙間は、上下方向に複数点在するうえ、隙間は屋内外方向に深く形成されるため、遮音ゴム先端が隙間の屋内外方向奥深いところまで至ることができず、どうしても奥側に隙間が残ってしまう。このため、仮令、スラットに内装する遮音材の性能を高めてスラット自体の遮音性を高めたとしても、前記連結部に形成される隙間の溝奥側から音漏れが発生してしまうことになって、このままでは遮音性の向上が難しいという問題がある。
一方、近年、遮音、防音のさらなる要求がなされる傾向にあり、ＪＩＳ（日本工業規格）のＡ４７０２、Ａ４７０６で規格される鋼製及びアルミニウム合金製のドアやサッシの防音、遮音性能において、３０デシベル（ｄＢ）以上の音圧低下がなされるＴ２レベルの装置が要求されることがあり、このため、より高い遮音性能を備えたシャッター装置を提供する必要があり、ここに本発明が解決しようとする課題があった。
【０００４】
【課題を解決するための手段】
本発明は、上記の如き実情に鑑み、これらの課題を解決することを目的として創作されたものであって、請求項１の発明は、シャッターカーテンの幅方向両側縁部をガイドするガイドレールのシャッターカーテン案内面に、シャッターカーテンの開閉方向に長く形成され、先端が前記シャッターカーテン案内面より突出するモヘアと遮音ゴムとを、取付け具を介してシャッタカーテンの幅方向に並列して組込み配設するにあたり、前記ガイドレールは、屋内外方向を向く溝底片の両端部から左右方向開口部側に向けて延出される一対の溝側片部と、これら溝側片部の延出先端部からそれぞれ屋内外方向に向けて対向するように延出された一対の先端片部と、これら先端片部の先端部からそれぞれ左右方向に折り返し状に折曲されてシャッター案内面を構成する折り返し片部とを備えて構成され、取付け具は、溝側片部と先端片部と折り返し片部とに囲まれたガイドレールの溝開口側スペースに収容されていることを特徴とする建築用の防音機能付シャッター装置である。
そして、このようにすることによって、シャッターカーテンのスラット連結部に形成される隙間の溝奥までもが覆蓋されて、遮音性能の向上を計ることができる。
請求項２の発明は、請求項１において、取付け具の折返し片部に続くガイドレールの溝奥側には、シャッターカーテンを移動案内すべく形成された案内面の折返し片部に隣接する部位に、モヘアを構成する樹脂製の基端部を抜止め状に嵌合する蟻溝状の凹溝部が形成されていて、変形自在なモヘア部の先端部がガイドレール折返し片部よりもカーテン面側に突出するように配され、取付け具のガイドレール溝奥側に位置する部位には、溝奥側が開口するように取付け凹部が形成され、該取付け凹部に、断面矩形状に形成された遮音ゴムの基端部が嵌合し、該基端部から外方に突出する突片の先端部がガイドレールの案内面となる折返し片部よりもカーテン面側に突出するように設定されていることを特徴とする建築用の防音機能付シャッター装置である。
【０００５】
【発明の実施の形態】
次に、本発明の第一の実施の形態を図１〜図９の図面に基づいて説明する。
図面において、１は工場やビル等の大開口に建付けられるの防音機能付きのシャッター装置（重量シャッター装置）であり、該シャッター装置１を構成するシャッターカーテン２は、左右方向（幅方向）に長い複数３のスラットを開閉方向である上下方向に連装することで構成されたものになっている。４は、開口部上方屋内側に設けられたシャッターケースであって、該シャッターケース４を構成する左右側板の屋外側部位には、前記シャッターカーテン２の上端部が連結された巻取りドラム５の左右端部が回動自在に支架されている。一方、前記シャッターケース４の屋内側部位には、巻取りドラム５と並列する状態で開閉機６が固定支持されており、該開閉機６の駆動スプロケット６ａと、巻取りドラム５の一端部に連結される従動スプロケット５ａとが連動連結されている。そして、開閉機６の正逆回転駆動に伴い巻取りドラム５が回転することにより、シャッターカーテン２は巻取りドラム５に巻取られて開口部を開放する開放姿勢と、巻取りドラム５から巻出されて開口部を閉鎖する閉鎖姿勢とに変姿するように設定され、このとき、シャッターカーテン２は、左右両側縁部が開口部の左右両側に建て付けられた一対のガイドレール７に案内される状態で上下方向に移動変姿するように設定されており、これらの構成は何れも従来通りとなっている。
図１において、８は開閉操作用スイッチ、８ａは制御盤、８ｂは手動操作具である。
【０００６】
さて、前記シャッターカーテン２を構成する各スラット３は、例えばスチール製の屋内外一対の長板材３ａ、３ｂを用いて所謂ホロー型に形成されている。そして、屋外側の長板材３ａは、上下縁部にインターロック部３ｃ、３ｄが折曲形成され、屋内側の長板材３ｂは、前記上下のインターロック部３ｃ、３ｄのあいだに収容される大きさの矩形となるように折曲形成され、これら屋内外の長板材３ａ、３ｂ対向間に、例えばロックウール等の遮音材３ｅが収容され、防音性能を有したスラット３に形成されている。このように形成された各スラット３は、図４に示すように、隣接するスラット３の上下のインターロック部３ｃ、３ｄ同志をそれぞれインターロック結合することで連結されてシャッターカーテン２を構成しており、該シャッターカーテン２を、屋外側のスラット面（屋外側スラット３ａのスラット面）が面一状になるよう連結したとき、前記上下のインターロック部３ｃ、３ｄの連結部に、該屋外側スラット面から屋内側に退避する凹溝状の小さな隙間Ｓが形成されている。
尚、各スラット３の左右両側部は、図３（Ｃ）に示すように、内側長板材３ｂの方を僅かに短く形成し、ここに、屋外側長板材３ａに沿う側辺が形成された略Ｌ字形の端部材３ｆが一体化されている。そして、ガイドレール７は、後述するように、各スラット３の遮音材３ｅ収容部に至る部位まで嵌合するように形成されている。
【０００７】
そして、前記シャッターカーテン１の左右両側縁部を移動案内する左右一対のガイドレール７にそれぞれ本発明が実施されている。
前記ガイドレール７は躯体に埋め込み状に配されているものであるが、スチール材を折曲形成することで構成され、屋内外方向を向く溝底片７ａと、該溝底片７ａの両端部から左右方向開口部側に向けて延出される一対の溝側片部７ｂと、これら溝側片部７ｂの延出先端部からそれぞれ屋内外方向に向けて延出された一対の先端片部７ｃと、これら先端片部７ｃの先端部からそれぞれ左右方向に折返し状に折曲された一対の折返し片部７ｄとを備えて形成されている。そして、一対の溝側辺部７ｂの対向間に、シャッターカーテン２の両側縁部を遊嵌状に外嵌したとき、一対の折返し片部７ｄがシャッターカーテン２の屋内外のカーテン面に近接対向して、シャッターカーテン２を移動案内する案内面となるように設定されている。
【０００８】
さらに、ガイドレール７の溝開口側には、溝側片部７ｂと先端片部７ｃと折返し片部７ｄとに囲まれたスペースに収容されていて折り返し片部７ｄからシャッターカーテン面側に突出しないようにして取付け具９が螺子止め固定されている。前記取付け具９は、アルミ型材で一体型形成されたものになっており、各折返し片部７ｄに続いてガイドレール７の溝奥側でシャッターカーテン２を移動案内する案内面９ａが形成されている。さらに、前記案内面９ａには、折返し片部７ｄに隣接する部位に蟻溝状の凹溝部９ｂが形成されており、該上下方向に長い取付け凹溝部９ｂに、モヘア１０を構成する樹脂製の基端部１０ａが抜止め状に嵌合され、変形自在なモヘア部１０ｂの先端部がガイドレール７の案内面となる折返し片部７ｄよりもカーテン面側に突出するように配されている。さらに、取付け具９のガイドレール７溝奥側に位置する部位には、溝奥側が開口する取付け凹部９ｃが形成されており、該上下方向に長い取付け凹部９ｃに、遮音ゴム１１が嵌合するように構成されている。ここで、前記遮音ゴム１１は、断面矩形状に形成された基端部１１ａと、該基端部１１ａから外方に突出する突片１１ｂとを備えて構成されており、基端部１１ａを取付け凹部９ｃに嵌合させたとき、突片１１ｂの先端部がガイドレール７の案内面となる折返し片部７ｄよりもカーテン面側に突出するように設定されている。このようにして、ガイドレール７の案内面に、モヘア１０と遮音ゴム１１とがシャッターカーテン２の左右幅方向に並列して設けられている。
因みに、前記突片１１ｂはモヘア部１０ｂの先端部よりもカーテン面側に突出するように設定されている。また、躯体に取付けられた状態のガイドレール７からモヘア１０と遮音ゴム１１とを取換える場合では、モヘア１０についてはガイドレール７の上端部から抜き差しすることで着脱でき、また、遮音ゴム１１についてはガイドレール７の横方向から抜き差しすることで着脱できるように構成されている。
【０００９】
そして、シャッターカーテン２の側縁部は、図６の仮想線で示すような位置関係でガイドレール７に嵌合されるように設定されており、このとき、遮音ゴム突片１１ｂとモヘア部１０ｂの先端部とはそれぞれカーテン面に当接して弾性変形するが、モヘア部１０ｂの先端部は、シャッターカーテン２のカーテン面に沿って自由に変形し、各スラット３同志の連結部に形成される屋外側カーテン面の隙間Ｓの溝奥にまで入り込むように設定されている。これによって、シャッターカーテン２を全閉した状態において、遮音ゴム突片１１ｂはシャッターカーテン２を屋内外から押し付けるような状態でカーテン面を封止し、かつ、モヘア部１０は先端部がスラット３連結部の隙間Ｓに入り込むような状態で隙間Ｓを封止し、もって、シャッターカーテン２とガイドレール７とのあいだの隙間が塞がれて音漏れ防止（遮音性能、防音性能）の向上が計れるように設定されている。
尚、前記モヘア１０は、モヘア部１０ｂの幅方向（長さ方向に直交する方向）中央部に樹脂製のフィン１０ｃが設けられ、モヘア部１０ｂに形成される隙間を塞いで壁のように作用する構成となっている。
また、１２は各ガイドレール７の上端部に設けられるのみ込みガイド体であって、該のみ込みガイド体１２は、巻取りドラム５に巻装されたシャッターカーテン２をガイドレール７に、あるいはガイドレール７から巻取りドラム５へとシャッターカーテン２をガイドするように設定されている。
【００１０】
１３は最下端に位置するスラット３に連結された座板であって、該座板１３にも防音の向上を計るための配慮がなされている。
つまり、座板１３は、上側に位置するスラット３との連結部となるインターロック部１４ａおよび屋外側面１４ｂが形成された第一半部１４と、上片部１５ａ、屋内側面１５ｂおよび下端部に位置し床面とのあいだを遮音する遮音用ゴム材１６を嵌合するための取付け部１５ｃが形成された第二半部１５とを螺子止めして一体化することで構成されている。ここで、前記遮音用ゴム材１６は断面半円形状に形成され、外周面から屋内外方向に傾斜状に突出する突起１６ａが形成されたものとなっており、シャッターカーテン２が全閉姿勢となったときに突起１６ａが弾性変形を伴う状態で床面に当接することで、床面との封止性を高めて遮音効果を発揮するように構成されている。
【００１１】
そして、これら第一、第二半部１４、１５はそれぞれアルミ型材で形成され、第一半部１４のインターロック部１４ａと屋外側面１４ｂとのあいだの曲げ角度ができるだけ小さくなるように配慮されている。これによって、第一半部インターロック部１４ａが最下端スラット３の下側インターロック部３ｄと連結したとき、スラット３の屋外側スラット面の下端部と第一半部屋外側面１４ｂの上端部とのあいだに形成される隙間が小さくなり、防音性能が高められるように設定されている。
因みに、従来、重量のシャッター装置における座板は、スチール材を曲げ加工して形成されている。しかも、スラットとの連結部であるインターロック部は、スラット同志の連結とは異なりスラット下側インターロック部を外嵌するように形成されている。このため、これらを連結したときに、スラットと座板との屋外側面に形成される隙間は、スラット同志の連結部に形成される隙間よりも大きくなって防音性能を損なうという問題があったが、本実施の形態のようにアルミ型材で形成することにより、前記隙間の大きさを可及的に小さくなし得て、防音性能の向上が計れるようになっている。
尚、１７は第二半部１５に螺子止め固定され座板１３の左右両側面を塞ぐように配される端板材である。
また、１８は躯体開口部上縁部に配され、シャッターカーテン２の屋外側カーテン面と躯体上縁部とのあいだの隙間を塞ぐための塞ぎ材であって、該塞ぎ材１８はゴム質弾性材で形成され、弾性変形した状態でシャッターカーテン２に当接することにより封止性が高められるように構成されている。
【００１２】
叙述の如く構成された本発明の実施の形態において、シャッターカーテン２は左右両側縁部をガイドレール７に移動案内される状態で上下に開閉移動して、開口部の開閉が行われることになるが、この場合に、シャッターカーテン２の閉鎖状態において、シャッターカーテン２を構成する各スラット３同志の屋外側スラット面の連結部に形成される隙間Ｓには、該隙間Ｓの溝奥（屋内側方）に至るまでガイドレール７に設けたモヘア部１０ｂの先端部が届くため、該隙間Ｓが塞がれて、該隙間Ｓからの音漏れを防止でき、防音（遮音）性能が向上する。
しかもこの場合に、ガイドレール７内において、シャッターカーテン２の屋内外のスラット面に対し、遮音ゴム突片１１ｂがスラット面に弾圧状に当接することで封止がなされ、そのうえで、当接部の形状に沿って自由に変形するモヘア部１０ｂにより屋外側スラット面に形成された隙間Ｓの溝奥側を塞ぐことができるため、これらの組合せで一層の防音効果を期待でき、この結果、今日社会のニーズにあった防音機能を有したシャッター装置１を提供できる。因みに、前記シャッター装置１をＪＩＳ（日本工業規格）のＡ４７０２、Ａ４７０６で規格される鋼製及びアルミニウム合金製のドアやサッシの防音、遮音性能に準じて測定したところ、３０デシベル（ｄＢ）以上の音圧低下がなされるＴ２レベルの装置となっていることが確認された。
【００１３】
さらにこのものでは、座板１３をアルミ型材で型成形することで曲げ角度を自由に設定できるので、最下端に位置するスラット３の下側インターロック部３ｄとの連結部に形成される隙間をできるだけ小さくすることができ、かつ、該部位にも前記ガイドレール７のモヘア部１０ｂ先端部が入り込むようにして当接するため、防音性能のさらなる向上を果すことができる。
【００１４】
尚、本発明は前記実施の形態に限定されないことは勿論であって、防音機能の優れたガイドレールとしては、図１０に示す第二の実施の形態のように構成することもできる。前記ガイドレール１９は第一、第二板材２０、２１を用いて構成され、各板材２０、２１により溝底片２０ａ、２１ａと屋内外一方の溝側片２０ｂ、２１ｂとがそれぞれ折曲形成されている。そして、溝底片２０ａ、２１ａ同志を重ねるようにしてガイドレール１９が形成され、このものにおいても、ガイドレール１９の溝開口部にモヘア１０と遮音ゴム１１を着脱自在に嵌合するための取付け具９が設けられ、前記第一の実施の形態と同様に、モヘア１０と遮音ゴム１１とが左右方向に並列した状態で配されており、防音性の優れたガイドレール１９となっている。
【００１５】
さらに、防音性能の優れた座板としては、図１１に示す第三の実施の形態のように構成することができる。この座板２２は、最下端スラット３との連結をする連結部材２２ａ、該連結部材２２ａに固定される固定座板２２ｂおよび該固定座板２２ｂに対して上下方向移動自在に配され下端部に遮音用ゴム材１６が配された可動座板２２ｃと、固定座板２２ｂに対する可動座板２２ｃとが設けられたものになっており、該可動座板２２ｃの上動に基づいて図示しない障害物検知スイッチが切換えられて障害物検知を行う構成となっている。そしてこのものでも、連結部材２２ａをアルミ型材で型成形することにより、最下端スラット３とのインターロック結合部に形成される隙間をできるだけ小さくなるようにしている。因みに、連結部材２２ａは、前記第一の実施の形態の座板１３を構成する第一半部１４をそのまま用いており、部材の兼用化が計られている。
【図面の簡単な説明】
【図１】シャッター装置の概略を示す正面図である。
【図２】シャッター装置の側面図である。
【図３】図３（Ａ）、（Ｂ）、（Ｃ）はそれぞれスラットの正面図、図３（Ａ）のＸ−Ｘ断面図、図３（Ａ）のＹ−Ｙ断面図である。
【図４】シャッターカーテンの一部側面断面図である。
【図５】図５（Ａ）、（Ｂ）はそれぞれガイドレールの側面図、一部正面図である。
【図６】図５（Ｂ）のＸ−Ｘ断面図である。
【図７】図７（Ａ）、（Ｂ）はそれぞれモヘアの側面図、平面図である。
【図８】図８（Ａ）、（Ｂ）はそれぞれ座板の背面図、平面図である。
【図９】図９（Ａ）、（Ｂ）はそれぞれシャッターカーテン下端部の側面図、図８（Ａ）のＸ−Ｘ断面図である。
【図１０】第二の実施の形態を示すガイドレールの平面断面図である。
【図１１】第三の実施の形態を示すシャッターカーテン下端部の側面断面図である。
【符号の説明】
１    シャッター装置
２    シャッターカーテン
３    スラット
３ａ    屋外側長板材
３ｃ    上側インターロック部
５    巻取りドラム
６    開閉機
７    ガイドレール７
７ａ    溝底片
７ｃ    先端片部
７ｄ    折返し片部
９    取付け具
１０    モヘア
１１    遮音ゴム
１２    のみ込みガイド体
１３    座板
１４    第一半部
１４ａ    インターロック部
１６    遮音用ゴム材
【図１】
0003760313.tif 000002
【図２】
0003760313.tif 000003
【図３】
0003760313.tif 000004
【図４】
0003760313.tif 000005
【図５】
0003760313.tif 000006
【図６】
0003760313.tif 000007
【図７】
0003760313.tif 000008
【図８】
0003760313.tif 000009
【図９】
0003760313.tif 000010
【図１０】
0003760313.tif 000011
【図１１】
0003760313.tif 000012